【手続補正書】
【提出日】令和3年3月19日(2021.3.19)
【手続補正１】
【補正対象書類名】明細書
【補正対象項目名】０００６
【補正方法】変更
【補正の内容】
【０００６】
本開示の表示装置の一側面は、第１方向と第２方向とに配列され、視差画像または平面画像が表示される複数の画素を有する表示パネルと、複数の視点にそれぞれ対応する視差画像が表示される各画素からの出射光を振り分ける振分部と、前記表示パネルと前記振分部との間に配置され、前記出射光の一部を遮光する遮光部とを備え、前記振分部は、前記表示パネルが視差画像を表示している第１表示状態において、前記各画素からの出射光を前記第１方向に平行な方向、又は前記第１方向から傾いた方向に沿う前記複数の視点のそれぞれに振り分け、または、前記表示パネルが平面画像を表示している第２表示状態において、出射光の振り分けを停止し、前記遮光部は、前記第１表示状態の場合、前記第２方向に平行な方向、又は前記第２方向から傾いた方向に延在し前記出射光の一部を遮光する第１遮光領域を前記第１方向に平行な方向、又は前記第１方向から傾いた方向に複数形成し、前記第２表示状態の場合、前記第１遮光領域の形成を停止することを特徴とする。
【手続補正２】
【補正対象書類名】特許請求の範囲
【補正対象項目名】全文
【補正方法】変更
【補正の内容】
【特許請求の範囲】
【請求項１】
第１方向と第２方向とに配列され、視差画像または平面画像が表示される複数の画素を有する表示パネルと、
複数の視点にそれぞれ対応する視差画像が表示される各画素からの出射光を振り分ける振分部と、
前記表示パネルと前記振分部との間に配置され、前記出射光の一部を遮光する遮光部とを備え、
前記振分部は、前記表示パネルが視差画像を表示している第１表示状態において、前記各画素からの出射光を前記第１方向に平行な方向、又は前記第１方向から傾いた方向に沿う前記複数の視点のそれぞれに振り分け、または、前記表示パネルが平面画像を表示している第２表示状態において、出射光の振り分けを停止し、
前記遮光部は、前記第１表示状態の場合、前記第２方向に平行な方向、又は前記第２方向から傾いた方向に延在し前記出射光の一部を遮光する第１遮光領域を前記第１方向に平行な方向、又は前記第１方向から傾いた方向に複数形成し、前記第２表示状態の場合、前記第１遮光領域の形成を停止する
表示装置。
【請求項２】
前記振分部は、前記第１表示状態の場合、前記第２方向に平行な方向、又は前記第２方向から傾いた方向に延在する第１分離領域を前記第１方向に平行な方向、又は前記第１方向から傾いた方向に複数形成し、
前記遮光部は、前記第１表示状態の場合、前記第１分離領域それぞれの境界に前記第１遮光領域を形成する
請求項１に記載の表示装置。
【請求項３】
前記振分部は、前記第２方向に平行な方向、又は前記第２方向から傾いた方向に延在するレンチキュラレンズ状の屈折率分布を形成する液晶レンズであって、前記第１分離領域に前記液晶レンズを形成し、
前記境界は、隣接する２つの前記液晶レンズの境界である
請求項２に記載の表示装置。
【請求項４】
前記振分部は、前記第１表示状態において、前記第１分離領域の前記第１方向に平行な方向、又は前記第１方向から傾いた方向における幅を視点数に応じて変更し、
前記遮光部は、変更後の前記第１分離領域の幅に対応して、前記第１分離領域それぞれの境界に前記第１遮光領域を形成する
請求項２に記載の表示装置。
【請求項５】
前記振分部は、前記各画素からの出射光を前記第１方向に平行な方向、又は前記第１方向から傾いた方向に沿う前記複数の視点のそれぞれに振り分ける第１振分状態、または、前記各画素からの出射光を前記第２方向に平行な方向、又は前記第２方向から傾いた方向に沿う前記複数の視点のそれぞれに振り分ける第２振分状態に切り替え、
前記遮光部は、前記第１振分状態かつ前記第１表示状態の場合、前記第２方向に平行な方向、又は前記第２方向から傾いた方向に延在し前記出射光の一部を遮光する第１遮光領域を前記第１方向に平行な方向、又は前記第１方向から傾いた方向に複数形成し、前記第２振分状態かつ前記第１表示状態の場合、前記第１方向に平行な方向、又は前記第１方向から傾いた方向に延在し前記出射光の一部を遮光する第２遮光領域を前記第２方向に平行な方向、又は前記第２方向から傾いた方向に複数形成する
請求項２〜４の何れかに記載の表示装置。
【請求項６】
前記振分部は、前記第１振分状態の場合、前記第２方向に平行な方向、又は前記第２方向から傾いた方向に延在する前記第１分離領域を前記第１方向に平行な方向、又は前記第１方向から傾いた方向に複数形成し、前記第２振分状態の場合、前記第１方向に平行な方向、又は前記第１方向から傾いた方向に延在する第２分離領域を前記第２方向に平行な方向、又は前記第２方向から傾いた方向に複数形成し、
前記遮光部は、前記第１振分状態の場合、前記第１分離領域それぞれの境界に前記第１遮光領域を形成し、前記第２振分状態の場合、前記第２分離領域それぞれの境界に前記第２遮光領域を形成する
請求項５に記載の表示装置。
【請求項７】
自装置の姿勢を検出する姿勢検出部を備え、
前記振分部は、前記姿勢検出部が検出した姿勢に応じて、前記第１振分状態または第２振分状態を切り替える
請求項５又は６に記載の表示装置。
【請求項８】
前記各画素は、複数の原色により色分けされ、前記第１方向及び第２方向に沿って配列した複数のサブ画素を備え、
前記第１方向または第２方向に沿って一列に並ぶ複数の前記サブ画素は、配色の異なる前記サブ画素の数が前記画素内で等しい
請求項１〜７の何れかに記載の表示装置。
【請求項９】
前記第１方向及び第２方向に沿って隣り合う前記サブ画素は、互いに異なる配色である
請求項８に記載の表示装置。
【請求項１０】
前記遮光部は、互いに対向する２枚の透明基板と、該透明基板の対向面間に封入された液晶層と、前記対向面に配置された電極とを備え、外部から該電極に印加される電圧に基づき前記液晶層の液晶分子を配向させ、前記第２方向に平行な方向、又は前記第２方向から傾いた方向を延在方向とする前記第１遮光領域を形成する液晶バリアである
請求項１〜９の何れかに記載の表示装置。
【請求項１１】
前記第１方向及び第２方向は互いに直交する
請求項１〜１０の何れかに記載の表示装置。
【請求項１２】
観察者の位置を検出する位置検出部を備え、
前記振分部は、前記出射光の振り分けを停止し、
前記遮光部は、前記第１表示状態の場合に前記出射光の振り分けを停止後、前記位置検出部が検出した前記観察者の位置に応じて、前記第１方向に平行な方向、又は前記第１方向から傾いた方向における前記第１遮光領域の形成幅及び形成位置を変更する
請求項１〜１１の何れかに記載の表示装置。
【請求項１３】
請求項１〜１２の何れかに記載の表示装置を搭載した電子機器。
【請求項１４】
第１方向と第２方向とに配列され、視差画像または平面画像が表示される複数の画素を有する表示パネルと、複数の視点にそれぞれ対応する視差画像が表示される各画素からの出射光を振り分ける振分部と、前記表示パネルと前記振分部との間に配置され、前記出射光の一部を遮光する遮光部とを備える表示装置に、
前記振分部が、前記表示パネルが視差画像を表示している第1表示状態において、前記各画素からの出射光を前記第１方向に平行な方向、又は前記第１方向から傾いた方向に前記複数の視点のそれぞれに振り分け、または、前記表示パネルが平面画像を表示している第２表示状態において、出射光の振り分けを停止し、
前記遮光部が、前記第１表示状態の場合、前記第２方向に平行な方向、又は前記第２方向から傾いた方向に延在し前記出射光の一部を遮光する第１遮光領域を前記第１方向に平行な方向、又は前記第１方向から傾いた方向に複数形成し、前記第２表示状態の場合、前記第１遮光領域の形成を停止する処理を実行させるプログラム。